(57)【特許請求の範囲】
【請求項１】
複数のセンサと、コントローラと、回転圧力部材と共に定着ニップを形成する加熱回転定着器部材とを有するトナー画像定着装置からの定着画像グロスを制御するための方法であって、
（ａ）前記加熱回転定着器部材の表面と接触するように移動するコピーシートが入ることを第１のセンサによって感知し、前記第１のセンサによって感知されたデータに基づいて前記コントローラによって前記コピーシートが前記表面と接触するタイミングを合わせ、
（ｂ）前記加熱回転定着器部材の前記表面の定着前ニップ部分の温度を第２のセンサによって感知し、
（ｃ）前記加熱回転定着器部材の前記表面の定着後ニップ部分の温度を第３のセンサによって感知し、
（ｄ）各々のコピーシートが前記定着ニップから出て行くことを第４のセンサによって感知し、第４のセンサによって感知されたデータに基づいて前記コントローラによって前記コピーシートが前記定着ニップから出て行くタイミングを合わせ、
（ｅ）一連のコピーシートが前記定着ニップを通って定着されるとき、前記加熱回転定着器部材の前記表面上での各々のシート間間隙部分の始まりと終わりを前記第１及び第２のセンサによって感知されたデータに基づいて前記コントローラが判断し、
（ｆ）前記第２及び第３のセンサによって感知された温度のデータを用いて前記コントローラによって制御計算を行い、
（ｇ）前記制御計算に基づいて、前記加熱回転定着器部材の前記表面にほぼ一定の一様な温度を維持するために、前記コントローラが前記加熱回転定着器部材の前記表面上でシート間間隙部分に対してのみ温度調節手段を適用する、
ステップを含むことを特徴とする方法。
【請求項２】
回転圧力部材と共に定着ニップを形成する加熱回転定着器部材を有するトナー画像定着装置からの定着画像グロスを制御するグロス制御装置であって、第１乃至第４のセンサ、冷却装置、及び、コントローラを備え、
（ａ）（ｉ）第１のセンサによって前記加熱回転定着器部材の表面と接触するように移動するコピーシートが入ることを感知し、（ｉｉ）第２のセンサによって前記加熱回転定着器部材の前記表面の定着前ニップ部分の温度を感知し、（ｉｉｉ）第３のセンサによって前記加熱回転定着器部材の前記表面の定着後ニップ部分の温度を感知し、（ｉｖ）第４のセンサによって各々のコピーシートが前記定着ニップから出て行くことを感知し、（ｖ）前記第１及び第４のセンサによって感知されたデータに基づいて前記コントローラが、各々のコピーシートが前記定着ニップから出て行くタイミングを計り、（ｖｉ）前記第１及び第４のセンサによって感知されたデータに基づいて前記コントローラが、前記定着器部材の前記表面上での各々のシート間間隙部分の始まりと終わりを判断し、
（ｂ）前記冷却装置は、前記加熱回転定着器部材の前記表面と断続的に接触し、
（ｃ）前記コントローラによって、前記第１乃至第４のセンサによって感知されたデータを用いて制御計算を行い、前記制御計算に基づいて前記加熱回転定着器部材の前記表面の前記シート間間隙部分に対してのみ前記断続的な冷却装置を制御する
ことを特徴とするグロス制御装置。
【請求項３】
（ａ）加熱回転定着器部材と、
（ｂ）前記加熱回転定着器部材と共に定着ニップを形成する回転圧力部材と、
（ｃ）定着装置からの定着画像グロスを制御するためのグロス制御装置と、
を含み、
前記グロス制御装置は、第１乃至第４のセンサ、冷却装置、及び、コントローラを備え、
（ア）（ｉ）第１のセンサによって前記加熱回転定着器部材の表面と接触するように移動するコピーシートが入ることを感知し、（ｉｉ）第２のセンサによって前記加熱回転定着器部材の前記表面の定着前ニップ部分の温度を感知し、（ｉｉｉ）第３のセンサによって前記加熱回転定着器部材の前記表面の定着後ニップ部分の温度を感知し、（ｉｖ）第４のセンサによって前記定着ニップから各々のコピーシートが出て行くことを感知し、（ｖ）第１乃至第４のセンサによって感知されたデータに基づいて前記コントローラが一連のコピーシートが前記定着ニップを通って定着されるとき、前記加熱回転定着器部材の前記表面上での各々のシート間間隙部分の始まりと終わりを感知し、
（イ）前記冷却装置は、前記加熱回転定着器部材の前記表面と断続的に接触し、
（ウ）前記コントローラによって、前記第１乃至第４のセンサによって感知されたデータを用いて制御計算を行い、前記制御計算に基づいて前記加熱回転定着器部材の前記表面の前記シート間間隙部分に対してのみ前記断続的な冷却装置を制御する、ことを特徴とする定着装置。
【請求項４】
（ａ）画像形成表面を含む移動可能な画像形成部材と、
（ｂ）トナー画像をトナー画像支持シートに形成し転写する画像形成手段と、
（ｃ）加熱回転定着器部材及び前記加熱回転定着器部材と共に定着ニップを形成する回転圧力部材を含む定着装置と、
（ｄ）前記定着装置からの定着画像グロスを制御するグロス制御装置と、
を含み、前記グロス制御装置は、第１乃至第４のセンサ、冷却装置、及び、コントローラを備え、
（ア）（ｉ）第１のセンサによって前記加熱回転定着器部材の表面と接触するように移動するコピーシートが入ることを感知し、（ｉｉ）第２のセンサによって前記加熱回転定着器部材の前記表面の定着前ニップ部分の温度を感知し、（ｉｉｉ）第３のセンサによって前記加熱回転定着器部材の前記表面の定着後ニップ部分の温度を感知し、（ｉｖ）第４のセンサによって前記定着ニップから各々のコピーシートが出て行くことを感知し、（ｖ）前記コントローラが、前記第１乃至第４のセンサが感知したデータに基づいて一連のコピーシートが前記定着ニップを通って定着されるとき、前記加熱回転定着器部材の前記表面上での各々のシート間間隙部分の始まりと終わりを感知し、
（イ）前記冷却装置は、前記加熱回転定着器部材の前記表面と断続的に接触し、
（ウ）前記コントローラは、前記第１乃至第４のセンサによって感知されたデータを用いて制御計算を行い、前記制御計算に基づいて前記加熱回転定着器部材の前記表面の前記シート間間隙部分に対してのみ前記断続的な冷却装置を制御することを特徴とする静電写真再現機。
【発明の詳細な説明】
【技術分野】
【０００１】
本発明は、静電写真画像製造機械に関し、より特定的には、一様なグロス制御装置及び方法を含む定着装置を有する機械に関する。
【背景技術】
【０００２】
静電写真再現機の１つの種類は、ゼログラフコピー機又はプリンタである。典型的なゼログラフコピー機又はプリンタにおいて、感光体表面、例えばドラムの感光体表面は、一般にゼログラフプロセスの様々な処理ステーションを通って無限に繰り返される経路において移動するように配置されている。殆どのゼログラフ機械におけるように、原稿文書の光画像は、感光体の一様に帯電された表面上に投影され又は走査されて、そこに静電潜像を形成する。その後、潜像は、トナーと呼ばれる逆に帯電した粉末の現像材料によって現像され、感光体表面上の潜像に対応するトナー画像を形成する。感光体表面が再利用可能なときは、トナー画像は、次いで一枚の紙のような記録媒体に静電的に転写され、感光体表面が清掃されて、再び、原稿のコピーを再現するために用いられる準備をする。画像単位の構成で粉末トナーをその上にもつ一枚の紙は感光体から分離され、その上のトナー画像が、加熱され恒久的に一枚の紙に固定される又は定着される加熱定着器部材を含む定着装置を通って移動する。
【発明の開示】
【発明が解決しようとする課題】
【０００３】
定着器ローラ形式の定着装置の通常の画質の欠点は、前縁により誘起されるグロス(gloss)変動又はシート間間隙により誘起されるグロス変動である。このことは、画像支持コピー紙又はシートが、回転加熱定着器ローラ及び回転圧力部材によって形成された定着ニップを通って移動するときに、定着器ローラが定着ニップを通って回転を続けている間でさえ、連続的なシート間には通常タイミング及び空間間隙（シート間間隙）があるために起こる。各々のコピー紙又はシートは、通常、定着ニップを通過する間に、それが接触する定着器ローラ表面の一部から熱を奪う。したがって、接触部分は熱を失う。紙間又はシート間間隙は、しかしながら熱を失うことなく、したがって鋭い段階的温度勾配が、接触した部分とシート間間隙部分との間のローラ表面に生じる。
【０００４】
典型的には、コピー紙又はシートの短縁を、最初に定着ニップを通して完全に供給するために、加熱定着器ローラの周囲全体がシートに「ｎ＋ｆ」回接触し、ここで「ｎ」は整数であり、「ｆ」は有理数である。このように、定着器ローラの表面上のシート間間隙の正確な位置は、定着器ローラが回転する度に周囲で変化する。シート間間隙の位置は、コピーシートの種類の長さ、及び定着器ローラとコピーシート搬送システムの速さに依存する。各々のシート間間隙は、もちろん常に定着器ローラの表面上でコピーシートの幅の範囲に軸方向に延び、上記で指摘されるように、完全に接触した部分より比較的高い温度のまま残り、よって段階的温度勾配がある。望ましくない結果として、この段階的温度勾配は、先行するコピーシート定着動作からの比較的高い温度の紙間の間隙部分が、次いで、その後に続く画像支持コピーシートに接触するときにグロス変動を引き起こす。
【課題を解決するための手段】
【０００５】
本開示の方法及び装置によれば、コントローラと、回転圧力部材と共に定着ニップを形成する加熱回転定着器部材とを有する画像定着装置からの定着画像グロスを制御するための方法が提供される。本方法は、（ａ）定着ニップに移動するコピーシートを感知し、（ｂ）定着器部材の表面の定着前ニップ部分の温度を感知し、（ｃ）定着器部材の表面の定着後ニップ部分の温度を感知し、（ｄ）定着ニップから各々のコピーシートが出て行くことを感知し、（ｅ）定着器部材の表面上での各々のシート間間隙部分の始まりと終わりを判断し、（ｆ）感知データを用いて制御計算を行い、（ｇ）制御計算に基づいて、定着器部材の表面にほぼ一定の一様な温度を維持するために、定着器部材の表面上でシート間間隙部分に対してのみ温度調節を適用する、ステップを含む。
【発明を実施するための最良の形態】
【０００６】
まず図１を参照すると、一般にベルト支持モジュール９０に搭載された光導電性ベルト１０を用いる静電写真再現機８を概略的に示している。好ましくは、光導電性ベルト１０は、導電性接地層の上に被覆された光導電性材料からなり、導電性接地層はまた抗カール性バッキング層の上に被覆されている。ベルト１０は、矢印１３の方向に移動して、連続する部分を、その移動経路の周囲に配置された様々な処理ステーションを順次通って進める。ベルト１０は、剥離ローラ１４、駆動ローラ１６、アイドラローラ２１、及びバッカーローラ２３の周りで閉ループ１１として移動する。
【０００７】
最初に、光導電性ベルト表面の一部は、帯電ステーションＡＡを通過する。帯電ステーションＡＡにおいて、参照番号２２によって全体として示されるコロナ生成装置は、比較的高い、実質的に一様な電位にまで光導電性ベルト１０を帯電させる。
【０００８】
さらに示されるように、再現機８は、一般に、中央処理装置（ＣＰＵ）、蓄電装置、及びディスプレイ又はユーザ・インタフェース（ＵＩ）を有する内蔵型の専用ミニコンピュータであることが好ましいコントローラ又電子制御サブシステム（ＥＳＳ）２９を含む。ＥＳＳ２９は、センサ及び接続の助けを借りて、画像データ及び機械のステータス情報を読み込み、捕捉し、作成し処理することができる。
【０００９】
さらに図１を参照すると、露光ステーションＢＢにおいて、コントローラ又は電子サブシステム（ＥＳＳ）２９は、所望の出力画像を表しているＲＩＳ２８から画像信号を受信し、例えば全体として参照番号３０で示されるラスタ出力スキャナ（ＲＯＳ）のような変調出力発生器に伝送される画像の連続階調又はグレースケール表現にそれらを変換するように、これらの信号を処理する。ＥＳＳ２９に伝送される画像信号は、上述のようにＲＩＳ２８から又はコンピュータから生じることができ、それによって静電写真再現機８が、１つ又はそれ以上のコンピュータの遠隔に位置するプリンタとして働くことを可能にする。或いは、プリンタは、高速コンピュータの専用プリンタとして働くこともできる。ＥＳＳ２９からの信号は、再現機によって再現されることが望ましい連続階調画像に対応して、ＲＯＳ３０に伝送される。
【００１０】
ＲＯＳ３０は、回転多角形ミラーブロックをもつレーザを含む。９面多角形が用いられることが好ましい。露光ステーションＢＢにおいて、ＲＯＳ３０は、１インチ当たり約３００又はそれ以上のピクセル解像度で、光導電性ベルト１０の表面上の帯電部分を照らす。ＲＯＳは、その上でＥＳＳ２９から受け取った連続階調画像に対応する静電潜像を記録するために光導電性ベルト１０を露光する。或いは、ＲＯＳ３０は、ラスタごとに、光導電性ベルト１０の帯電部分を照らすように配列された発光ダイオード（ＬＥＤ）の線形アレイを用いることもできる。
【００１１】
静電潜像が光導電性表面１２に記録された後で、ベルト１０は、乾燥粒子形態のＣＭＹＫの着色トナーを含む、示されるような４つの現像剤ユニットを含む現像ステーションＣＣを通して潜像を進める。各々の現像ユニットにおいて、トナー粒子は、通常の公知の技術を用いて適切に静電的に潜像に引き付けられる。
【００１２】
続けて図１を参照すると、静電潜像が現像された後で、ベルト１０上にあるトナー粉末画像は転写ステーションＤＤに進む。印刷シート４８は、シート給送装置５０によって転写ステーションＤＤに進む。シート給送装置５０は、スタック５４、５５の最も上のシートに接触するために波形の真空給送機（ＴＣＶＦ）アセンブリ５２を含むことができる。ＴＣＶＦ５２は、各々の上部のシート４８を取得し、それを垂直方向搬送部５６に進める。垂直方向搬送部５６は、進行するシート４８が給送ローラ１２０を通って位置合わせ搬送部１２５に入り、次いでタイミングを合わせて、光導電性ベルト１０から画像を受け取るように画像転写ステーションＤＤに入るように向かわせる。転写ステーションＤＤは、典型的には、シート４８の裏側にイオンを吹き付けるコロナ生成装置５８を含む。これは、光導電性表面１２からシート４８にトナー粉末画像を引き寄せるのを助ける。転写後、シート４８は、矢印６０の方向に移動を続け、定着前搬送アセンブリによって取り出されて定着ステーションＦＦに前進させられる。
【００１３】
定着ステーションＦＦは、参照番号７０によって全体として表され、ローラ／ローラ形式の定着器として示される本開示の一様なグロス定着器又は定着装置を含む。周知のように、定着器はローラ／ローラとすることができ、すなわち、それらは示されるように、やはりローラ７４、１７４である圧力部材と共に定着ニップ７５を形成する定着器ローラ７２、１７２を含む。それらはまた、図５に示されるようにローラ／ベルトとすることができ、ベルト１７４、１７４である圧力部材と共に定着ニップ１７５を形成する定着器ローラ１７２、１７２を含む。さらに、それらはベルト圧力部材と共に定着ニップを形成するベルト定着器部材を含む（図示されていないが周知の）ベルト／ベルトとすることができる。しかしながら各々の場合において、定着装置は、一様なグロスをもつ転写されたトナー画像２１３をコピーシート４８に定着させ、恒久的に付着させるのに適している。
【００１４】
さらに示されるように、定着後、シート４８は次いで、シートが出力部１７を介して直接仕上げ機又はスタッカへ移動することを可能にするか、又は、シートを両面印刷経路１００に偏向させる、ゲート８８に移動する。具体的には、シートは（両面印刷経路１００に向けられるとき）、最初にゲート１３４を通って単一シートインバータ８２に入る。つまり、第２のシートが片面印刷シートであるか、又は、そこに画像が形成された側面１の画像及び側面２の画像の両方を有する完全な両面印刷シートの場合には、シートはゲート８８を介して運ばれ直接出力部１７に入る。しかしながら、シートが両面印刷されているところであり、かつその時点で側面１の画像だけが印刷されている場合には、ゲート８８は、シートがインバータ８２に入り、両面印刷ループ経路１００に入るように偏向するように位置決めされ、そこでシートは反転され、次いで、出口経路１７を介して出て行く前に、両面印刷シートの裏側に側面２の画像を受け取り永久に固定させるように、転写ステーションＤＤ及び定着器７０を通って戻る再循環のために加速ニップ１０２及びベルト搬送部１１０に供給される。
【００１５】
印刷シートがベルト１０の光導電性表面１２から分離されると、光導電性表面１２上にまだあり、付着していることがある残留トナー／現像剤及び紙繊維粒子が、次に清掃ステーションＥＥにおいて清掃装置１５０によってそこから取り除かれる。
【００１６】
次に図１から図５を参照すると、静電写真再現機８はこのように、（ａ）画像形成表面１２を含む可動の画像形成部材１０と、（ｂ）トナー画像をトナー画像支持シート４８に形成し転写するための画像形成手段又は装置２２、３０、Ｋ、Ｙ、Ｍ、Ｃと、（ｃ）定着器ローラ７２、１７２の形態で示される加熱回転定着器部材と、熱回転定着器ローラと共に定着ニップ７５を形成する回転圧力部材７４、１７４とを含む定着装置７０と、（ｄ）定着装置からの定着画像グロスを制御するための本開示によるグロス制御装置２００とを含むと考えることができる。本開示は、定着器ローラ及び圧力ローラ（ローラ／ローラ）に関して説明されているが、ローラ／ベルト定着器部材／圧力部材又はベルト／ベルト定着器部材／圧力部材形式の定着装置でも同様に良好に働くであろうことが理解される。
【００１７】
示されるように、グロス制御装置２００は、（ｉ）コピーシート４８の定着ニップ７５への移動経路に沿って置かれ、コピーシートが加熱回転定着器ローラの表面７６、１７６と接触し、定着ニップ内に入ること、及び、コピーシートが定着ニップから出て行くことを感知し、タイミングを合わせるコントローラ２９、２９ＵＧに接続するセンサＳ１、Ｓ２と、（ｉｉ）定着器ローラの表面７６、１７６に隣接する定着ニップの上流側に位置し、加熱回転定着器ローラの表面の定着前のニップ部分の温度を感知するためにコントローラ２９に接続されたセンサＳ３、Ｓ５と、（ｉｉｉ）定着器ローラの表面７６、１７６に隣接する定着ニップの下流側に位置し、加熱回転定着器ローラの表面の定着後のニップ部分の温度を感知するためにコントローラ２９に接続されたセンサＳ４、Ｓ６と、（ｉｖ）一連のコピーシートの定着動作中、加熱回転定着器ローラの表面上でシート間間隙部分「Ｇｉ」の始まりと終わりを判断するためのコントローラ２９の制御プログラム２９ＵＧとを含む。センサＳ３及びセンサＳ４は例えば、定着ニップ７５の前後でシート間間隙部分Ｇｉの温度を感知するために用いることができ、センサＳ５及びセンサＳ６は同様に、表面７６、１７６の非間隙部分の温度を感知するために用いることができる。これら感知された温度対の間の計算された差異は次に、あらゆる温度勾配を滑らかにするために、温度調節装置２１０、２２０、２３０の適用の必要性、速度、及び強さを判断するようにコントローラによって用いられ、したがって確実な一様グロスを達成する。
【００１８】
グロス制御装置２００はまた、加熱回転定着器ローラ７２、１７２の表面７６、１７６と接触する断続的冷却装置２１０、２２０、２３０のような温度調節装置、及びコピーシートの種類の情報を格納及び供給し、格納情報及びＳ１からＳ６までのセンサから感知されたデータを用いて制御計算を行い、さらに加熱回転定着器ローラの表面のシート間間隙部分Ｇｉだけを冷却するように断続的な冷却装置２１０、２２０、２３０を制御する、コントローラ２９のプログラム２９ＵＧを含むプログラム可能な態様を含む。
【００１９】
図２で示される第１の実施形態においては、温度調節又は断続的な冷却装置２１０、２２０、２３０は、２１４を介してコントローラ２９に接続する空気の加圧冷却ジェット２１２（モード位置で示される）のソース２１０を含む。さらに示されるように、ソース２１０は、送風機２１６と、空気のジェット２１２の温度を迅速に調整するのに適した空冷手段２１８とを含む。空気のジェット２１２は、ノズル２１７の狭いスリット２１５を通って送られる。
【００２０】
図３で示される第２の実施形態においては、温度調節又は断続的な冷却装置２１０、２２０、２３０は、加熱回転定着器ローラの表面のシート間間隙部分Ｇｉと接触する及び接触しないように、コントローラ２９に接続された好適な手段２２２（ダウン位置で示される）などにより移動可能な、出し入れ可能回転チルドローラ２２０を含む。図４で示される第３の実施形態においては、断続的な冷却装置２１０、２２０、２３０は、加熱回転定着器ローラの表面のシート間間隙部分と接触する及び接触しないように、コントローラ２９に接続された好適な手段２３２（ダウン位置で示される）などにより移動可能な、スライドチルドチップ２３０を含む。
【００２１】
しかしながら、各々の場合において、断続的な冷却装置２１０、２２０、２３０は、加熱回転定着器ローラ７２、１７２の表面７６、１７６の全ての部分において、ほぼ一定の一様な定着後ニップ温度を維持するように制御される。コントローラ２９は、定着前のニップ位置と定着後のニップ位置において、加熱回転定着器ローラの表面の部分の温度差を求めるようにプログラムされている。コントローラはまた、加熱回転定着器ローラの表面７６、１７６のシート間間隙部分Ｇｉと非シート間間隙部分との間の定着後ニップ温度の差を求めるようにプログラムされている。
【００２２】
このように本開示によれば、冷却高圧空気ジェット２１２は、例えば、加熱定着器ローラ７２、１７２の表面７６、１７６の温度勾配を周方向に滑らかにするために用いられる。空気ジェット２１２は、空気ジェットの適用及び冷却効果を局所化するために狭いスリット２１５を有するノズル２１７を通して送られ、適用のタイミングは、コントローラ２９によって定着ニップ７５内の及びそれを通るコピーシートの搬送又は移動と連係される。したがって、空気ジェット２１２は、或いは別の場合には鋭い温度勾配が置かれることになる正確な位置（定着ニップを出て行くシート間間隙Ｇｉ）においてのみ作動され適用される。機械及び定着装置コントローラ２９はまた、コピーシート及び動作の種類の情報を用いてプログラム可能であり、したがって、機械のデジタルフロントエンド（ＤＦＥ）からのコピーシートの種類、サイズ、及び速度の情報、並びに、コピーシート搬送システム及び機械のゼログラフ又は画像形成（ＩＯＴ）ユニットからの信号を受信し、格納し、使用する。コントローラは次に、空気ジェット２１２の温度、タイミング及び強度を能動的に求め、制御する。
【００２３】
加えて、本開示によれば、センサＳ１、Ｓ２、Ｓ３、Ｓ４、Ｓ５、Ｓ６と、コントローラ２９と、回転圧力部材７４、１７４と共に定着ニップ７５を形成する加熱回転定着器ローラ７２、１７２とを有するトナー画像定着装置７０からの定着画像グロスを制御するため方法は、（ａ）加熱回転定着器ローラの表面と接触するように移動するコピーシート４８が入ることを感知しタイミングを合わせるステップと、（ｂ）加熱回転定着器ローラの表面の定着前ニップ部分の温度を感知するステップと、（ｃ）加熱回転定着器ローラの表面の定着後ニップ部分の温度を感知するステップと、（ｄ）定着ニップから各々のコピーシートが出て行くことを感知しタイミングを合わせるステップと、（ｅ）一連のコピーシートが定着ニップを通って定着されるとき、加熱回転定着器ローラの表面で各々のシート間間隙部分の始まりと終わりを判断するステップと、（ｆ）感知されたデータを用いて制御計算を行うステップと、（ｇ）制御計算に基づいて、加熱回転定着器ローラの表面にほぼ一定の一様な温度を維持するために、加熱回転定着器ローラの表面のシート間間隙部分に対してのみ温度調節手段を適用するステップと、を含む。
【００２４】
制御計算を行うステップは、定着前ニップ位置及び定着後ニップ位置において加熱回転定着器ローラの表面の部分の温度差を求めるステップを含む。制御計算を行うステップは、加熱回転定着器ローラの表面のシート間間隙部分と非シート間間隙部分との間の定着後ニップ温度の差異を求めるステップを含む。温度調節手段を適用するステップは、空気の冷却加圧ジェットを、加熱回転定着器ローラの表面のシート間間隙部分と断続的に接触するように向け、制御するステップを含む。シート間間隙部分のみに温度調節手段を適用するステップは、加熱回転定着器ローラの表面のシート間間隙部分と接触する及び接触しないように回転チルドローラを移動させるステップを含む。シート間間隙部分のみに温度調節手段を適用するステップは、加熱回転定着器ローラの表面のシート間間隙部分と接触する及び接触しないようにスライドチルドチップを移動させるステップを含む。
【００２５】
本開示の代替的な方法は、（ａ）グロスセンサ（図示せず）を用いて定着ニップから出て行くコピーシート上のグロスを感知するステップと、（ｂ）定着部材の表面上で各々のシート間間隙部分の始まりと終わりを判断するステップと、（ｆ）感知されたデータを用いて制御計算を行うステップと、（ｇ）制御計算に基づいて、定着器部材の表面上にほぼ一定の一様な温度を維持するために、定着器部材の表面上のシート間間隙部分に対してのみ温度調節を適用するステップとを含む。
【００２６】
このように、定着されるコピーシート４８がシート間間隙Ｇｉと連続して給送される定着ニップ７５を形成する、移動定着器ローラ７２、１７２及び圧力ローラ７４、１７４を含む２つのローラの定着装置７０においては、外面のその部分の温度をテンパリングするために、したがって、或いは別の場合には、移動する定着器ローラが回転されるときに、移動する定着器ローラの外面上の段階的な温度勾配を周方向に滑らかにするために、シート間間隙Ｇｉ内においてのみ、移動する定着器ローラの外面７６、１７６の一部に対して加圧空気の調節高圧ジェット２１２が制御可能に適用される。加圧空気の調節高圧ジェット２１２は、その調節効果を局所化させるために、制御された方法で狭いノズルスリット２１５を介して適用される。調節高圧ジェット２１２適用の断続的な制御は、定着ニップへのコピーシートの移動と連係されて、ジェットがシート間間隙内で正確に開始し停止することに集中するようにする。定着装置のコントローラ２９は、例えば機械デジタルフロントエンドからコピーシートデータ（コピーシートの種類、サイズ及び速度）、並びに、（ｉ）コピーシート搬送システム、（ｉｉ）ゼログラフ画像出力端末、（ｉｉ）定着装置自体上のセンサから信号データ（サイズ、速度、温度、コピーシートの取り込み及び解放）を受信して、適用される加圧空気のジェットのタイミング、温度調節、及び強度を能動的に求める。
【００２７】
図示されるように、定着器部材及び圧力部材定着ニップと、コントローラと、センサとを含む定着装置において、定着画像グロスを制御するための方法が提供された。本方法は、（ａ）定着ニップ内にコピーシートが移動するのを感知するステップと、（ｂ）定着部材の表面の定着前ニップ部分の温度を感知するステップと、（ｃ）定着部材の表面の定着後ニップ部分の温度を感知するステップと、（ｄ）定着ニップから各々のコピーシートが出て行くのを感知するステップと、（ｅ）定着器部材の表面上で各々のシート間間隙部分の始まりと終わりを判断するステップと、（ｆ）感知されたデータを用いて制御計算を行うステップと、（ｇ）制御計算に基づいて、定着器部材の表面にほぼ一定の一様な温度を維持するために、定着器部材の表面上でシート間間隙部分に対してのみ温度調節を適用するステップと、を含む。
【００２８】
本来提示された及び補正可能である特許請求の範囲は、現在は予期されていない又は理解されていないものを含む、さらに例えば、出願人、特許権者及びその他の者から生じることができるものを含む、本明細書に開示された実施形態及び教示の変更、代替的手法、修正、改善、等価物、及び実質的な等価物を含む。
【図面の簡単な説明】
【００２９】
【図１】本開示による、一様なグロス制御方法及び装置を有する定着装置を含む例示的な静電写真再現機の概略正面図である。
【図２】本開示による、一様なグロス制御方法及び装置の第１の実施形態を含む、図１の定着装置のローラ／ローラ実施形態の概略拡大端面図である。
【図３】本開示による、一様なグロス制御方法及び装置の第２の実施形態を含む、図２の定着装置の概略拡大端面図である。
【図４】本開示による、一様なグロス制御方法及び装置の第３の実施形態を含む、図２の定着装置の概略拡大端面図である。
【図５】本開示による、一様なグロス制御方法及び装置の第１の実施形態を含む、図１の定着装置のローラ／ベルト実施形態の概略拡大端面図である。
【符号の説明】
【００３０】
８：静電写真再現機
１０：光導電性ベルト
１２：光導電性表面
２９：コントローラ
７２、１７２：加熱回転定着器部材
７４、１７４：回転圧力部材
７５、１７５：定着ニップ
【図１】
0005448029.tif 000002
【図２】
0005448029.tif 000003
【図３】
0005448029.tif 000004
【図４】
0005448029.tif 000005
【図５】
0005448029.tif 000006